(57)【要約】【課題】不動産業界におけるモデュールについての知識がない住宅等の購入予定者いわゆる素人が、「メーターモデュール」を「尺モデュール」に迅速、容易に換算し、居室等の間取り図の広さ、大きさを簡単に理解と認識が可能で、建築中又は完成した住宅等を下見することなく、尺モデュールに換算した実際の間取り図等が目算でき、かつ携行にも便利なモデュール換算早見シートの提供。【解決手段】シートＳのほぼ中央には、１０ｍｍの幅寸法で、垂直状及び水平状の縦基準線１と横基準線２が、十字状の空白部を形成するように交叉して表示され、その左右と上下には４ヶ所の領域Ｂ１、Ｂ２、Ｂ３、及びＢ４が形成され、各領域Ｂ１、Ｂ２、Ｂ３、及びＢ４内には、９．１ｍｍ×９．１ｍｍの方形状マス目３、３、３・・・・が規則的かつ連続的に多数表示されている。【選択図】図１
0003139397.tif 000002
【実用新案登録請求の範囲】
【請求項１】
メーターモデュールで作図された、住宅設計図又は間取り図等の表示寸法又は表示面積を、尺モデュールで作図され表示寸法又は表示面積に換算可能な、モデュール換算早見シートにおいて、
モデュール換算早見シートは透明シートであって、
透明シートの表面ほぼ中央には、同寸幅とした垂直状の２本の縦基準線と、
前記縦基準線と同寸幅とした水平状の２本の横基準線が、十字状の空白部を形成するように交叉して表示され、
前記縦基準線と横基準線で形成される４ヶ所の領域内に、方形状マス目を規則的かつ連続的に多数表示してなることを特徴とする、モデュール換算早見シート。
【請求項２】
前記透明シートは、硬質樹脂材からなり、その大きさは、Ａ４版又はＢ５版であることを特徴とする、請求項１に記載のモデュール換算早見シート。
【請求項３】
前記縦基準線及び横基準線の幅寸法を１０ｍｍとしていることを特徴とする、請求項１〜請求項２の何れかに記載のモデュール換算早見シート。
【請求項４】
前記方形状マス目の寸法を、９．１ｍｍとし、これを半間の長さとしていることを特徴とする、請求項１〜請求項３の何れかに記載のモデュール換算早見シート。
【請求項５】
前記縦基準線又は横基準線の幅内に、使用説明文の表示がなされていると共に、１Ｍ又は１ｍの表示がなされ、また、前記方形状マス目の縦線及び横線に沿って、０．９１又は０．９１ｍの表示がなされていることを特徴とする、請求項１〜請求項４の何れかに記載のモデュール換算早見シート。
【請求項６】
前記縦基準線及び横基準線は、太線の実線、破線、点線又は鎖線で表示されていることを特徴とする、請求項１〜請求項５の何れかに記載のモデュール換算早見シート。
【請求項７】
前記方形状マス目内の縦線及び横線は、実線、破線、点線又は鎖線で表示されていることを特徴とする、請求項１〜請求項６の何れかに記載のモデュール換算早見シート。
【請求項８】
前記縦基準線、横基準線、方形状マス目の縦線、横線及び使用説明文の文字、数字、英文字が、黒色又はその他のカラーで表示されていることを特徴とする、請求項１〜請求項７の何れかに記載のモデュール換算早見シート。
【考案の詳細な説明】
【技術分野】
【０００１】
本考案は、モデュール換算早見シートに関し、より詳しくは、メーターモデュールで作図された、住宅設計図又は間取り図等の表示寸法又は表示面積を、尺モデュールの表示寸法又は表示面積に容易に換算可能な、モデュール換算早見シートに関する。
【背景技術】
【０００２】
住宅設計の基本単位であるモデュール（モジュールともいう）には、尺モデュールとメーターモデュールがあり、尺モデュールは、９１０ｍｍ＝３尺（半間）を単位とし、メーターモデュールは１ｍを単位とするものである。従来から日本における一般住宅では、「尺モデュール」が使われてきた。しかし、近年では、プレハブリケーション工法によって建設される住宅、いわゆるプレハブ住宅が増加するにしたがい、設計図、間取り図等の作図においては、「メーターモデュール」を採用するケースが増えている。
【０００３】
住宅展示場や宅建業者等で取得できる住宅カタログやパンフレット等では、平面図にメ
ーターモデュールによる全体寸法と各部位の細部寸法がｍｍ単位で表示されるのが一般的
であり、当該住宅カタログやパンフレット等には、例えば、「メーターモデュールを採用し
ている」等と表示されているに過ぎないので、尺モデュールとの差異による居室や各部位
の広さ、大きさ等の違いが十分に理解と認識がなされていないのが現状である。
【０００４】
特に、不動産業界における、モデュールについての知識がない住宅等の購入予定者等が、建築中又は完成された実際の住宅を下見したとき、例えば、居室が６畳となっている「メーターモデュール」による図面上の表示と、実際の居室の広さが４帖半しかないことが判明し、新規購入予定者と住宅建設会社や宅建業者等とがトラブルになることが頻発している。
【０００５】
しかしながら、モデュールについての知識がない住宅等の購入予定者いわゆる素人が、
「メーターモデュール」を「尺モデュール」に迅速かつ容易に換算し、居室等の間取り図
の広さ、大きさを十分に理解と認識が可能な器具類は、未だ開発されていない現状にある。
【０００６】
例えば、「住宅のモジュールを説明するための表示物」：特開２００２−３０３０５２（特許文献１）が開示されている。
特許文献１は、モジュールの異なる廊下同士を並べて、それらの広さの違いを説明し、住宅のモジュールに対する理解を深めることの出来る表示物を提供することを課題とし、その解決手段は、モジュールの異なる廊下の平面図を並べて表示するとともに、その平面図中に、平面から見た人物のすれ違い状況を概略図示したことを特徴とするものである。
また、「３次元画像作成装置のための入力用建築間取シート」：登実３０２８７７２（特許文献２）が開示されている。
特許文献２は、手書きで間取り図を作図する際も便利であり、イメージスキャナーによる入力の際にも、実際の寸法が把握され、３次元画像処理においても何ら支障をきたさない建築間取り図シートを提供することを課題とし、その解決手段は、建築間取り図シートの表面に、一定間隔で平行に離間し、かつ垂直に交錯した複数の縦線と横線とからなる方眼線が描線されており、方眼線の枡目間隔が、１グリッド長、すなわち半間の長さに対して、一定の縮尺度に対応する長さに規定されていることを特徴としている。
【０００７】
【特許文献１】特開２００２−３０３０５２号公報
【特許文献２】実用新案登録第３０２８７７２号公報
【考案の開示】
【考案が解決しようとする課題】
【０００８】
特許文献１は、「尺モデュール」と「メーターモデュール」で表示した２つの廊下を平面図で並べて比較し、それらの広さの違いを説明し、住宅のモジュールに対する理解を深めるための表示物についての提案である。
また、特許文献２は、手書きで間取り図を作図する際やイメージスキャナーによる入力の際に、実際の寸法が把握されるという、住宅設計又は間取り図の作成に便利な作図ツールの提案である。
【０００９】
本考案が解決しようとする課題は、不動産業界におけるモデュールについての知識がな
い住宅等の購入予定者いわゆる素人の顧客が、「メーターモデュール」で作図された図面上の寸法又は面積等を「尺モデュール」に容易に換算し、居室等の間取り図の広さ、大きさ等を的確に理解することが可能で、建築中又は完成した住宅等を下見することなく、尺モデュールに換算した実際の間取り図等が目算でき、また、メーターモデュールの寸法又は面積等が表示あるいは無表示にかかわらず、尺モデュールに換算することも可能であり、さらに、携行にも便利なモデュール換算早見シートを提供することにある。
【課題を解決するための手段】
【００１０】
本考案者は、上記従来技術が有する各種問題点に鑑み、鋭意検討を重ね、特に、「メーターモデュール」で作図された住宅設計図又は間取り図等において、廊下及び押入れの幅寸法が、常に１ｍ＝１０００ｍｍで表示されることに着目し、課題を解決するための本考案を完成させたものである。課題を解決するための手段は、本願、実用新案登録請求の範囲の各請求項に記載の考案である。
＊＊＊＊＊＊＊＊＊＊＊＊＊＊＊＊＊＊＊＊＊＊＊＊＊＊＊＊＊＊＊＊＊＊＊＊＊＊＊
本考案における技術範囲等についての解釈上の疑義を解消すべく、以下予め用語の説明を行うこととする。
〈用語の説明〉
○  換算とは、建築設計上の単位寸法を、１０００ｍｍとしたメーターモデュールで作図された、住宅図又は間取り図等に表示された表示寸法又は表示面積等を、３尺＝９１０ｍｍを単位寸法の尺モデュールとし、３尺＝９１０ｍｍを１／１００に縮尺し、９．１ｍｍ×９．１ｍｍの多数の方形状マス目を規則的かつ連続して形成し、マス目を計測位置に重合し、当該マス目の数を目算し、尺モデュール上の寸法又は面積等を確認するために換算することをいう。
○  縦基準線とは、透明シートの表面ほぼ中央に描線される１０ｍｍ幅で垂直状の２本の平行線であり、メーターモデュールで作図された、住宅図又は間取り図等における、押入れ又は廊下部分に当接し、表示された表示寸法又は表示面積等を尺モデュールに換算するための基準とするものである。
○  横基準線とは、透明シートの表面ほぼ中央に描線される１０ｍｍ幅で水平状の２本の平行線であり、メーターモデュールで作図された、住宅図又は間取り図等における、押入れ又は廊下部分に当接し、表示された寸法又は面積等を尺モデュールに換算するための基準とするものである。
＊＊＊＊＊＊＊＊＊＊＊＊＊＊＊＊＊＊＊＊＊＊＊＊＊＊＊＊＊＊＊＊＊＊＊＊＊＊＊＊
○第１の考案（請求項１に記載の考案）
上記の課題を解決するための第１の考案（請求項１に記載の考案）は、
メーターモデュールで作図された、住宅設計図又は間取り図等の表示寸法又は表示面積を、尺モデュールで作図された表示寸法又は表示面積に換算可能な、モデュール換算早見シートにおいて、
モデュール換算早見シートは透明シートであって、
透明シートの表面ほぼ中央には、同寸幅とした垂直状の２本の縦基準線と、
前記縦基準線と同寸幅とした水平状の２本の横基準線が、十字状の空白部を形成するように交叉して表示され、
前記縦基準線と横基準線で形成される４ヶ所の領域内に、方形状マス目を規則的かつ連続的に多数表示してなることを特徴とする、モデュール換算早見シートである。
【００１１】
○第２の考案（請求項２に記載の考案）
上記の課題を解決するための第２の考案（請求項２に記載の考案）は、
前記透明シートは、硬質樹脂材からなり、その大きさは、Ａ４版又はＢ５版であることを特徴とする、請求項１に記載のモデュール換算早見シートである。
【００１２】
○第３の考案（請求項３に記載の考案）
上記の課題を解決するための第３の考案（請求項３に記載の考案）は、
前記縦基準線及び横基準線の幅寸法を１０ｍｍとしていることを特徴とする、請求項１〜請求項２の何れかに記載のモデュール換算早見シートである。
【００１３】
○第４の考案（請求項４に記載の考案）
上記の課題を解決するための第４の考案（請求項４に記載の考案）は、
前記方形状マス目の寸法を、９．１ｍｍとし、これを半間の長さとしていることを特徴とする、請求項１〜請求項３の何れかに記載のモデュール換算早見シートである。
【００１４】
○第５の考案（請求項５に記載の考案）
上記の課題を解決するための第５の考案（請求項５に記載の考案）は、
前記縦基準線又は横基準線の幅内に、使用説明文の表示がなされていると共に、１Ｍ又は１ｍの表示がなされ、また、前記方形状マス目内の縦線及び横線に沿って、０．９１又は０．９１ｍの表示がなされていることを特徴とする、請求項１〜請求項４の何れかに記載のモデュール換算早見シートである。
【００１５】
○第６の考案（請求項６に記載の考案）
上記の課題を解決するための第６の考案（請求項６に記載の考案）は、
前記縦基準線及び横基準線は、太線の実線、破線、点線又は鎖線で表示されていることを特徴とする、請求項１〜請求項５の何れかに記載のモデュール換算早見シートである。
【００１６】
○第７の考案（請求項７に記載の考案）
上記の課題を解決するための第７の考案（請求項７に記載の考案）は、
前記方形状マス目の縦線及び横線は、実線、破線、点線又は鎖線で表示されていることを特徴とする、請求項１〜請求項６の何れかに記載のモデュール換算早見シートである。
【００１７】
○第８の考案（請求項８に記載の考案）
上記の課題を解決するための第８の考案（請求項８に記載の考案）は、
前記縦基準線、横基準線、方形状マス目の縦線、横線及び使用説明文の文字、数字、英文字が、黒色又はその他のカラーで表示されていることを特徴とする、請求項１〜請求項７の何れかに記載のモデュール換算早見シートである。
【考案の効果】
【００１８】
本考案に係るモデュール換算早見シートは、上記のような特徴的構成要件から構成され、特徴的構成要件に応じた、以下のような本願考案特有の効果を奏する。また、上記のような特徴的構成要件から構成されたモデュール換算早見シートによれば、本願考案の課題を十分解消することができた。
○  第１の考案の効果
第１の考案によれば、
メーターモデュールで作図された、住宅設計図又は間取り図等の表示寸法又は表示面積を、尺モデュールで作図された表示寸法又は表示面積に換算可能な、モデュール換算早見シートにおいて、
モデュール換算早見シートは透明シートであって、
透明シートの表面ほぼ中央には、同寸幅とした垂直状の２本の縦基準線と、
前記縦基準線と同寸幅とした水平状の２本の横基準線が、十字状の空白部を形成するように交叉して表示され、
前記縦基準線と横基準線で形成される４ヶ所の領域内に、方形状マス目を規則的かつ連続的に多数表示してなるという、特徴的構成により、
不動産業界におけるモデュールについての知識がない住宅等の購入予定者いわゆる素人の顧客が、「メーターモデュール」で作図された図面上の寸法又は面積等を「尺モデュール」に容易に換算し、居室等の間取り図の広さ、大きさ等を的確に理解することが可能で、建築中又は完成した住宅等を下見することなく、尺モデュールに換算した実際の間取り図等が目算でき、また、メーターモデュールの寸法又は面積等が表示あるいは無表示にかかわらず、尺モデュールに換算することも可能であり、さらに、携行にも便利なモデュール換算早見シートの提供という、本考案の課題を解決することができた。また、例えば、間取り図等における押入れ又は廊下が傾斜して表示されていたとしても、十字状の空白部を基点として、押入れ又は廊下の傾斜角度に合うようにモデュール換算早見シートを回転させ、縦基準線又は横基準線を重合し、該縦基準線と横基準線の交叉によって形成された４ヶ所の領域内におけるマス目の集合体を、換算したい寸法等の表示位置又は寸法等の表示がない位置にスライドさせ、該当するマス目の数を目算すれば、「メーターモデュール」で表示された又は表示がない表示寸法又は表示面積等を、「尺モデュール」による寸法又は面積等に容易に換算することができる。
【００１９】
○  第２の考案の効果
第２の考案によれば、
透明シートは、硬質樹脂材からなり、その大きさは、Ａ４版又はＢ５版であるから、
軽量、薄厚な透明シートをカバン、バッグ等に簡便に収納して携行し、例えば、住宅展示場等で配布される、住宅パンフレットやカタログに表示された設計図や間取り図に、本考案のモデュール換算早見シートを載置して重合すれば、「メーターモデュール」で表示された居室等の広さを、「尺モデュール」による広さに容易に換算することができる。
【００２０】
○  第３及び第４の考案の効果
第３及び第４の考案によれば、
基準線の縦基準線及び横基準線の幅寸法を、１０ｍｍとし、
また、前記方形状マス目の寸法を、９．１ｍｍとし、これを半間の長さとしてとしており、メーターモデュールによる設計図等において、廊下や押入れは１ｍ＝１０００ｍｍで表示されているから、縦基準線又は横基準線を、設計図又は間取り図等で表示されている廊下又は押入れに重合させれば、尺モデュール上の居室等の広さを容易に確認することができる。
【００２１】
○  第５の考案の効果
第５の考案によれば、
縦基準線又は横基準線の幅内に、使用説明文の表示がなされていると共に、１Ｍ又は１ｍの表示がなされ、また、前記方形状マス目内の縦線及び横線に沿って、０．９１又は０．９１ｍの表示がなされているので、
使用説明文の内容を、例えば、「この部分を廊下に合わせて下さい」、「この部分を押入れに合わせて下さい」又は、「この部分を廊下又は押入れに合わせて下さい」とすれば、使い勝手が極めて容易となる。
【００２２】
○  第６及び第７の考案の効果
第６及び第７の考案によれば、
縦基準線及び横基準線は、太線の実線、破線、点線又は鎖線で表示され、
方形状マス目の縦線及び横線は、実線、破線、点線又は鎖線で表示されており、
設計図や間取り図等は、主に実線で表示されているから、本考案のモデュール換算早見シートの基準線、方形状マス目の縦線及び横線と混同することが防止されと共に、換算（マス目数の目算）が容易となる。
【００２３】
○  第８の考案の効果
第８の考案によれば、
縦基準線、横基準線、方形状マス目内の縦線、横線及び使用説明文の文字、数字、英文字が、黒色又はその他のカラーで表示されており、
設計図や間取り図内の線、数字及び文字等は、全て黒色で表示されているので、特に縦基準線、横基準線、マス目線、文字及び数字等をカラー表示すれば、「メーターモデュール」と「尺モデュール」の居室等の間取り図の広さを、鮮明に判別できる効果を奏する。
【考案を実施するための最良の形態】
【００２４】
以下、本考案に係るモデュール換算早見シートに関する最良の実施形態について、図面を参照しながら説明する。図１は、本考案のモデュール換算早見シートの平面図、図２は、カタログ等に印刷された間取り図の平面図、図３は、使用状態を示す平面図、図４は、図３におけるＡ部の拡大平面図である。
【００２５】
図１において、Ｓは、本考案に係るモデュール換算早見シート（以下、シートＳという）を示し、シートＳは、硬質樹脂材、例えば、ポリプロピレン樹脂等を素材とした薄厚（約０．２〜０．５ｍｍ）の透明シートで、その大きさは、Ａ４版又はＢ５版としている。１は、縦基準線で、シートＳのほぼ中央に１０ｍｍの幅寸法で垂直状に２本の線が描線されている。また、２は、横基準線で、シートＳのほぼ中央に１０ｍｍの幅寸法で水平状に２本の線が描線されている。縦基準線１と横基準線２は、シートＳのほぼ中央で十字状の空白部を形成するように交叉して表示される。幅寸法の１０ｍｍは、１ｍを１／１００に縮尺したものである。
【００２６】
縦基準線１と横基準線２の交叉により、その左右と上下には４ヶ所の領域Ｂ１、Ｂ２、Ｂ３、及びＢ４が形成され、各領域Ｂ１、Ｂ２、Ｂ３、及びＢ４内には、９．１ｍｍ×９．１ｍｍの方形状マス目３、３、３・・・・が規則的かつ連続的に多数形成される。各マス目３における９．１ｍｍ×９．１ｍｍは、９１０ｍｍ＝３尺（半間）を１／１００に縮尺した尺モデュールである。したがって、図１における、領域Ｂ３内のマス目３を斜線で表示している部分は、縦３個のマス目３、横３個のマス目３で、縦横共に１．５間となっている。
【００２７】
縦基準線１又は横基準線２の幅内には、使用説明文１ａ又は２ａが表示され、その内容は、図示するように、例えば、１ａで表示するように、「この部分を廊下に合わせて下さい」、２ａで表示するように、「この部分を押入れに合わせて下さい」又は、「この部分を廊下又は押入れに合わせて下さい」（不図示）等のように表示され、また、縦基準線１又は横基準線２の幅内には、１〜複数の１Ｍ又は１ｍの表示がなされ、さらに１〜複数のマス目３内には、マス目の縦線３ａ及び横線３ｂに沿って、０．９１又は０．９１ｍの表示がなされている。
【００２８】
縦基準線１及び横基準線２は、０．４ｍｍ〜０．５ｍｍの普通線の他、０．５１ｍｍ以上の太線による実線、破線、点線又は鎖線で表示されることもあり、また、マス目３、３・・・・の縦線３ａ及び横線３ｂは、０．４ｍｍ以下の実線、破線、点線又は鎖線で表示されることもある。また、縦基準線１、横基準線２、マス目マス目３、３、３・・・・の縦線３ａ、横線３ｂ及び使用説明文１ａ又は２ａの文字、数字、英文字等が、黒色又はその他のカラーで表示されている。
【００２９】
図２は、カタログ等に印刷された間取り図Ｃで、メーターモデュールによる全体寸法１０、１１と各部位の細部寸法１２、１３等がｍｍ単位で表示され、例えば、押入れ１４の幅は、１０００ｍｍであり、和室１５は割り振りによって６畳とされている。また廊下１６も押入れ１４の幅と同様に１０００ｍｍとされている。
【００３０】
図３は、カタログ等の間取り図Ｃに、シートＳを載置して使用する状態を示している。
シートＳにおける横基準線２を、「この部分を押入れに合わせて下さい」と表示している使用説明文２ａを押入れ１４部分に重合し、縦基準線１の左方を和室１５の右端に添えると、メーターモデュールで設計された和室１５の６畳は、図３のＡ部及びその拡大図である図４に示すように、縦横それぞれ９個のマス目３、３、３・・・・の斜線内（図１、図３及び図４参照）に納められる。即ち、メーターモデュールで作図され、間取り図Ｃに表示された、和室１５の６畳間は、尺モデュールに換算すれば、いわゆる関東間（田舎間ともいう）としては、４帖半の和室１５であることが確認することができる。したがって、モデュールに対する知識のない住宅等の購入予定者等が、建築中又は完成された実際の住宅を下見することなく、住宅カタログやパンフレット等に表示された間取り図Ｃの押入れ１４又は廊下１６に、縦基準線１又は横基準線２を重合させ、当該部分のマス目３、３、３・・・・の数を目算すれば、極めて容易に尺モデュールに換算することができる。これにより、メーターモデュールによる図面上の表示と、実際の居室等の広さが相違することが事前に判明し、住宅等の新規購入予定者は、住宅建設会社や宅建業者等とトラブルになることを防止することができる。
【図面の簡単な説明】
【００３１】
【図１】は、本考案のモデュール換算早見シートＳの平面図である。
【図２】は、カタログ等に印刷された間取り図の平面図である。
【図３】は、使用状態を示す平面図である。
【図４】は、図３におけるＡ部の拡大平面図である。
【符号の説明】
【００３２】
Ｓ                                    シート
Ｃ                                    間取り図
１                                    縦基準線
２                                    横基準線
３、３、３・・・・                    マス目
Ｂ１、Ｂ２、Ｂ３、Ｂ４                領域
１ａ                                  使用説明文
２ａ                                  使用説明文
３ａ                                  縦線
３ｂ                                  横線
１０、１１                            全体寸法
１２、１３                            細部寸法
１４                                  押入れ
１５                                  和室
１６                                  廊下                                  
【図１】
0003139397.tif 000003
【図２】
0003139397.tif 000004
【図３】
0003139397.tif 000005
【図４】
0003139397.tif 000006